(57)【特許請求の範囲】
【請求項１】
データが保存されているデータ保存機器と無線通信機器とが所定の規格に準拠して接続され、前記無線通信機器と基地局とが所定の無線通信の規格に準拠して接続され、前記データが前記無線通信機器及び前記基地局を介してネットワークに接続されているサーバに転送されるデータ転送システムにおいて、
前記データ保存機器は、
一のデータを所定の単位で分割する分割手段と、
前記分割手段で分割された分割データを順次、前記所定の規格に準拠した転送速度により前記無線通信機器に転送する転送手段と、
前記転送速度を変更するか否かを判断する判断手段と、
前記判断手段により前記転送速度を変更すると判断されたときには、前記所定の規格に準拠して前記無線通信機器と前記基地局との間に確立されている無線通信を遮断するための遮断信号を送信する遮断信号送信手段と、
前記判断手段により前記転送速度を変更すると判断されたときに未だ前記一のデータに係るすべての分割データの転送が完了していない場合には、前記遮断信号にしたがって前記無線通信機器と前記基地局との間に確立されている無線通信を遮断しないように制御する制御信号を前記遮断信号が送信される前に送信する制御信号送信手段と、を備えることを特徴とするデータ転送システム。
【請求項２】
前記無線通信機器は、
前記データ保存機器から転送される前記分割データの受信を行うべきではないと判断したときに、当該旨を示す不受信信号を前記データ保存機器に送信する不受信信号送信手段を備え、
前記判断手段は、前記不受信信号を所定時間連続して受信したとき、又は前記不受信信号を所定回数受信したときに、前記転送速度を変更するように判断することを特徴とする請求項１記載のデータ転送システム。
【請求項３】
前記無線通信機器は、
充電池と、
前記充電池の電池残量が所定値よりも低下したことを検出したときに、当該旨を示す電池残量低下信号を前記データ保存機器に送信する電池残量低下信号送信手段を備え、
前記判断手段は、前記電池残量低下信号を受信したときに、前記転送速度を変更するように判断することを特徴とする請求項１記載のデータ転送システム。
【請求項４】
前記無線通信機器は、
前記基地局との間における無線通信に係る電波強度を監視する監視手段と、
前記監視手段による監視結果に基づいて、前記電波強度が所定値よりも低下したことを検出したときに、当該旨を示す電波強度低下信号を前記データ保存機器に送信する電波強度低下信号送信手段を備え、
前記判断手段は、前記電波強度低下信号を受信したときに、前記転送速度を変更するように判断することを特徴とする請求項１記載のデータ転送システム。
【請求項５】
前記判断手段は、前記無線通信機器に転送される前記一のデータの大きさに基づいて、前記転送速度を変更するように判断することを特徴とする請求項１記載のデータ転送システム。
【請求項６】
データが保存されているデータ保存機器と無線通信機器とが所定の規格に準拠して接続され、前記無線通信機器と基地局とが所定の無線通信の規格に準拠して接続され、前記データが前記無線通信機器及び前記基地局を介してネットワークに接続されているサーバに転送されるデータ転送システムにおいて、
前記データ保存機器は、
一のデータを所定の単位で分割する分割手段と、
前記分割手段で分割された分割データを順次、前記所定の規格に準拠した転送速度により前記無線通信機器に転送する転送手段と、
前記一のデータの大きさを前記無線通信機器に通知する第１の通知手段と、
前記転送速度を変更するときには、前記所定の規格に準拠して前記無線通信機器と前記基地局との間に確立されている無線通信を遮断するための遮断信号を前記無線通信機器に送信する遮断信号送信手段と、を備え、
前記無線通信機器は、
前記転送速度を変更するか否かを判断する判断手段と、
前記判断手段により前記転送速度を変更するものと判断したときに、前記転送速度を変更するように前記データ保存機器に通知する第２の通知手段と、
前記判断手段により前記転送速度を変更すると判断されたときに、前記第１の通知手段により通知された前記一のデータの大きさに基づいて、未だ前記一のデータに係るすべての分割データの転送が完了していないと判断した場合には、前記遮断信号にしたがって前記無線通信機器と前記基地局との間に確立されている無線通信を遮断しないように設定する設定手段と、を備えることを特徴とするデータ転送システム。
【請求項７】
前記無線通信機器は、
前記データ保存機器から転送される前記分割データの受信を行うべきではないと判断したときに、当該旨を示す不受信信号を前記データ保存機器に送信する不受信信号送信手段を備え、
前記判断手段は、前記不受信信号を所定時間連続して前記データ保存機器に送信したとき、又は前記不受信信号を所定回数前記データ保存機器に送信したときに、前記転送速度を変更するように判断することを特徴とする請求項６記載のデータ転送システム。
【請求項８】
前記無線通信機器は、
充電池を備え、
前記判断手段は、前記充電池の電池残量が所定値よりも低下したことを検出したときに、前記転送速度を変更するように判断することを特徴とする請求項６記載のデータ転送システム。
【請求項９】
前記無線通信機器は、
前記基地局との間における無線通信に係る電波強度を監視する監視手段を備え、
前記判断手段は、前記監視手段による監視結果に基づいて、前記電波強度が所定値よりも低下したことを検出したときに、前記転送速度を変更するように判断することを特徴とする請求項６記載のデータ転送システム。
【請求項１０】
前記判断手段は、前記データ保存機器から転送されてくる前記一のデータの大きさに基づいて、前記転送速度を変更するように判断することを特徴とする請求項６記載のデータ転送システム。
【請求項１１】
データが保存されているデータ保存機器と所定の規格に準拠して接続され、基地局と所定の無線通信の規格に準拠して接続され、前記データをネットワークに接続されているサーバに転送する無線通信機器において、
前記データ保存機器から転送されてくる一のデータが所定の単位で分割されている分割データを順次、前記所定の規格に準拠した所定の転送速度により受信する受信手段と、
前記転送速度を変更するか否かを判断する判断手段と、
前記判断手段により前記転送速度を変更するものと判断したときに、前記転送速度を変更するように前記データ保存機器に通知する通知手段と、
前記判断手段により前記転送速度を変更すると判断されたときに、前記一のデータの大きさに基づいて、未だ前記一のデータに係るすべての分割データの転送が完了していないと判断した場合には、前記データ保存機器から送信されてくる前記所定の規格に準拠して前記無線通信機器と前記基地局との間に確立されている無線通信を遮断するための遮断信号にしたがって前記無線通信機器と前記基地局との間に確立されている無線通信を遮断しないように設定する設定手段と、を備えることを特徴とする無線通信機器。
【請求項１２】
前記データ保存機器から転送される前記分割データの受信を行うべきではないと判断したときに、当該旨を示す不受信信号を前記データ保存機器に送信する不受信信号送信手段を備え、
前記判断手段は、前記不受信信号を所定時間連続して前記データ保存機器に送信したとき、又は前記不受信信号を所定回数前記データ保存機器に送信したときに、前記転送速度を変更するように判断することを特徴とする請求項１１記載の無線通信機器。
【請求項１３】
充電池を備え、
前記判断手段は、前記充電池の電池残量が所定値よりも低下したことを検出したときに、前記転送速度を変更するように判断することを特徴とする請求項１１記載の無線通信機器。
【請求項１４】
前記基地局との間における無線通信に係る電波強度を監視する監視手段を備え、
前記判断手段は、前記監視手段による監視結果に基づいて、前記電波強度が所定値よりも低下したことを検出したときに、前記転送速度を変更するように判断することを特徴とする請求項１１記載の無線通信機器。
【請求項１５】
前記判断手段は、前記無線通信機器に転送される前記一のデータの大きさに基づいて、前記転送速度を変更するように判断することを特徴とする請求項１１記載の無線通信機器。
【発明の詳細な説明】
【技術分野】
【０００１】
本発明は、データをサーバに転送するデータ転送システム及び無線通信機器に関する。
【背景技術】
【０００２】
従来、ＰＣを用いずに、デジタルカメラ等のデータ保存機器から、該データ保存機器内に保存されたデータを、無線通信機器（例えば、携帯電話機）を経由してネットワーク上にデータサーバ送信するデータ転送システムが知られている（例えば、特許文献１を参照。）。なお、このようなデータ転送システムにおいては、データ保存機器と無線通信機器とは、所定のバス接続の規格（例えば、ＵＳＢ（Ｕｎｉｖｅｒｓａｌ  Ｓｅｒｉａｌ  Ｂｕｓ））に準拠したケーブルにより相互に接続されている。
【０００３】
また、データ保存機器と無線通信機器を利用してデータ通信を行う場合には、データの転送速度に応じて電力が消費されるため、当該電力の消費を低減化する技術が知られている（例えば、特許文献２を参照。）。
【０００４】
また、無線通信機器とネットワークとの間では、所定の無線通信規格によってデータ送信が行われているが、当該無線通信に係る電波強度の変化等に応じてデータ送信速度も変化してしまう。ここで、無線通信機器とネットワークとの間のデータ送信速度が低下した場合に、データ保存機器と無線通信機器との間におけるデータ送信速度が高速のままであると、データ保存機器と無線通信機器との間でデータが詰まってしまい、データの転送エラーを生じてしまう。そこで、データ転送システムにおいては、無線通信機器とネットワークとの間のデータ送信速度の変化に応じて、データ保存機器と無線通信機器との間におけるデータ転送速度も適宜変化するように制御している。
【特許文献１】特開２００６−０８６８２１号公報
【特許文献２】特開２００６−３３０８３１号公報
【発明の開示】
【発明が解決しようとする課題】
【０００５】
ところで、データ転送システムにおいては、データ保存機器から無線通信機器へのデータ転送速度を変化させる場合には、規格上、データ保存機器と無線通信機器との間の通信のみならず、無線通信機器とネットワークとの間における通信も遮断する必要がある。
【０００６】
具体的には、データ転送システムは、データの転送途中において、データ保存機器と無線通信機器との間におけるデータ転送速度を変更するときには、１．データ保存機器と無線通信機器との間においてバスリセットを行い、２．無線通信機器とネットワークとの間における通信を切断し、３．データ保存機器と無線通信機器との間におけるデータ転送速度を変更し、４．無線通信機器とネットワークを再び接続し、５．変更後のデータ転送速度にしたがってデータ保存機器から無線通信機器にデータの転送が開始され、当該データが無線通信機器からネットワークを介してサーバに転送される。
【０００７】
したがって、従来のデータ転送システムでは、上記４．に示した再接続が必要となるため、データ転送が再開されるまでに時間がかかり、また、再接続のための電力を要してしまう。
【０００８】
本発明では、上述のような課題に鑑みてなされたものであり、その目的の一つは、データの転送が再開されるまでの時間を短縮化し、電力の消費を低減化することができるデータ転送システム及び無線通信機器を提供することにある。
【課題を解決するための手段】
【０００９】
（１）本発明に係るデータ転送システムは、上記課題を解決するために、データが保存されているデータ保存機器と無線通信機器とが所定の規格に準拠して接続され、前記無線通信機器と基地局とが所定の無線通信の規格に準拠して接続され、前記データが前記無線通信機器及び前記基地局を介してネットワークに接続されているサーバに転送されるデータ転送システムにおいて、前記データ保存機器は、一のデータを所定の単位で分割する分割手段と、前記分割手段で分割された分割データを順次、前記所定の規格に準拠した転送速度により前記無線通信機器に転送する転送手段と、前記転送速度を変更するか否かを判断する判断手段と、前記判断手段により前記転送速度を変更すると判断されたときには、前記所定の規格に準拠して前記無線通信機器と前記基地局との間に確立されている無線通信を遮断するための遮断信号を送信する遮断信号送信手段と、前記判断手段により前記転送速度を変更すると判断されたときに未だ前記一のデータに係るすべての分割データの転送が完了していない場合には、前記遮断信号にしたがって前記無線通信機器と前記基地局との間に確立されている無線通信を遮断しないように制御する制御信号を前記遮断信号が送信される前に送信する制御信号送信手段と、を備えることを特徴とする。
【００１０】
（２）本発明では、（１）のデータ転送システムにおいて、前記無線通信機器は、前記データ保存機器から転送される前記分割データの受信を行うべきではないと判断したときに、当該旨を示す不受信信号を前記データ保存機器に送信する不受信信号送信手段を備え、前記判断手段は、前記不受信信号を所定時間連続して受信したとき、又は前記不受信信号を所定回数受信したときに、前記転送速度を変更するように判断することが好ましい。
【００１１】
（３）本発明では、（１）のデータ転送システムにおいて、前記無線通信機器は、充電池と、前記充電池の電池残量が所定値よりも低下したことを検出したときに、当該旨を示す電池残量低下信号を前記データ保存機器に送信する電池残量低下信号送信手段を備え、前記判断手段は、前記電池残量低下信号を受信したときに、前記転送速度を変更するように判断することが好ましい。
【００１２】
（４）本発明では、（１）のデータ転送システムにおいて、前記無線通信機器は、前記基地局との間における無線通信に係る電波強度を監視する監視手段と、前記監視手段による監視結果に基づいて、前記電波強度が所定値よりも低下したことを検出したときに、当該旨を示す電波強度低下信号を前記データ保存機器に送信する電波強度低下信号送信手段を備え、前記判断手段は、前記電波強度低下信号を受信したときに、前記転送速度を変更するように判断すること。
【００１３】
（５）本発明では、（１）のデータ転送システムにおいて、前記判断手段は、前記無線通信機器に転送される前記一のデータの大きさに基づいて、前記転送速度を変更するように判断することが好ましい。
【００１４】
（６）本発明に係るデータ転送システムは、上記課題を解決するために、データが保存されているデータ保存機器と無線通信機器とが所定の規格に準拠して接続され、前記無線通信機器と基地局とが所定の無線通信の規格に準拠して接続され、前記データが前記無線通信機器及び前記基地局を介してネットワークに接続されているサーバに転送されるデータ転送システムにおいて、前記データ保存機器は、一のデータを所定の単位で分割する分割手段と、前記分割手段で分割された分割データを順次、前記所定の規格に準拠した転送速度により前記無線通信機器に転送する転送手段と、前記一のデータの大きさを前記無線通信機器に通知する第１の通知手段と、前記転送速度を変更するときには、前記所定の規格に準拠して前記無線通信機器と前記基地局との間に確立されている無線通信を遮断するための遮断信号を前記無線通信機器に送信する遮断信号送信手段と、を備え、前記無線通信機器は、前記転送速度を変更するか否かを判断する判断手段と、前記判断手段により前記転送速度を変更するものと判断したときに、前記転送速度を変更するように前記データ保存機器に通知する第２の通知手段と、前記判断手段により前記転送速度を変更すると判断されたときに、前記第１の通知手段により通知された前記一のデータの大きさに基づいて、未だ前記一のデータに係るすべての分割データの転送が完了していないと判断した場合には、前記遮断信号にしたがって前記無線通信機器と前記基地局との間に確立されている無線通信を遮断しないように設定する設定手段と、を備えることを特徴とする。
【００１５】
（７）本発明では、（６）のデータ転送システムにおいて、前記無線通信機器は、前記データ保存機器から転送される前記分割データの受信を行うべきではないと判断したときに、当該旨を示す不受信信号を前記データ保存機器に送信する不受信信号送信手段を備え、前記判断手段は、前記不受信信号を所定時間連続して前記データ保存機器に送信したとき、又は前記不受信信号を所定回数前記データ保存機器に送信したときに、前記転送速度を変更するように判断することが好ましい。
【００１６】
（８）本発明では、（６）のデータ転送システムにおいて、前記無線通信機器は、充電池を備え、前記判断手段は、前記充電池の電池残量が所定値よりも低下したことを検出したときに、前記転送速度を変更するように判断することが好ましい。
【００１７】
（９）本発明では、（６）のデータ転送システムにおいて、前記無線通信機器は、前記基地局との間における無線通信に係る電波強度を監視する監視手段を備え、前記判断手段は、前記監視手段による監視結果に基づいて、前記電波強度が所定値よりも低下したことを検出したときに、前記転送速度を変更するように判断することが好ましい。
【００１８】
（１０）本発明では、（６）のデータ転送システムにおいて、前記判断手段は、前記データ保存機器から転送されてくる前記一のデータの大きさに基づいて、前記転送速度を変更するように判断することが好ましい。
【００１９】
（１１）本発明に係る無線通信機器は、上記課題を解決するために、データが保存されているデータ保存機器と所定の規格に準拠して接続され、基地局と所定の無線通信の規格に準拠して接続され、前記データをネットワークに接続されているサーバに転送する無線通信機器において、前記データ保存機器から転送されてくる一のデータが所定の単位で分割されている分割データを順次、前記所定の規格に準拠した所定の転送速度により受信する受信手段と、前記転送速度を変更するか否かを判断する判断手段と、前記判断手段により前記転送速度を変更するものと判断したときに、前記転送速度を変更するように前記データ保存機器に通知する通知手段と、前記判断手段により前記転送速度を変更すると判断されたときに、前記一のデータの大きさに基づいて、未だ前記一のデータに係るすべての分割データの転送が完了していないと判断した場合には、前記データ保存機器から送信されてくる前記所定の規格に準拠して前記無線通信機器と前記基地局との間に確立されている無線通信を遮断するための遮断信号にしたがって前記無線通信機器と前記基地局との間に確立されている無線通信を遮断しないように設定する設定手段と、を備えることを特徴とする。
【００２０】
（１２）本発明では、（１１）の無線通信機器において、前記データ保存機器から転送される前記分割データの受信を行うべきではないと判断したときに、当該旨を示す不受信信号を前記データ保存機器に送信する不受信信号送信手段を備え、前記判断手段は、前記不受信信号を所定時間連続して前記データ保存機器に送信したとき、又は前記不受信信号を所定回数前記データ保存機器に送信したときに、前記転送速度を変更するように判断することが好ましい。
【００２１】
（１３）本発明では、（１１）の無線通信機器において、充電池を備え、前記判断手段は、前記充電池の電池残量が所定値よりも低下したことを検出したときに、前記転送速度を変更するように判断することが好ましい。
【００２２】
（１４）本発明では、（１１）の無線通信機器において、前記基地局との間における無線通信に係る電波強度を監視する監視手段を備え、前記判断手段は、前記監視手段による監視結果に基づいて、前記電波強度が所定値よりも低下したことを検出したときに、前記転送速度を変更するように判断することが好ましい。
【００２３】
（１５）本発明では、（１１）の無線通信機器において、前記判断手段は、前記無線通信機器に転送される前記一のデータの大きさに基づいて、前記転送速度を変更するように判断することが好ましい。
【発明の効果】
【００２４】
本発明によれば、データの転送が再開されるまでの時間を短縮化し、電力の消費を低減化することができる。
【発明を実施するための最良の形態】
【００２５】
以下、本発明の実施の形態について説明する。図１は、本発明に係るデータ転送システム１の外観斜視図である。データ転送システム１は、デジタルカメラ等のデータ保存機器１１と、携帯電話機等の無線通信機器１２とを備え、基地局１３及びネットワーク１４を介してサーバ１５に接続される構成になっている。データ保存機器１１と無線通信機器１２とは、所定の規格（例えば、ＵＳＢ（Ｕｎｉｖｅｒｓａｌ  Ｓｅｒｉａｌ  Ｂｕｓ））に準拠したケーブルＡにより相互に接続されている。また、無線通信機器１２とネットワーク１４とは、所定の無線通信の規格に準拠して接続されている。なお、本実施例においては、データ保存機器１１としてデジタルカメラを想定するがこれに限られず、スキャナやプリンタ等であっても良い。
【００２６】
データ転送システム１では、ＰＣ（Ｐｅｒｓｏｎａｌ  Ｃｏｍｐｕｔｅｒ）を用いずに、データ保存機器１１に保存されている写真等のデータを、無線通信機器１２を経由してネットワーク１４上のサーバ１５に送信するシステムである。また、データ転送システム１では、データ保存機器１１に格納されている一の写真のデータをサーバ１５に転送するときには、当該一のデータを所定の単位、例えば、１２８ｂｙｔｅで分割された分割データとして順次転送する。
【００２７】
ここで、一般的なデータ転送システムでは、当該一のデータに係る分割データを転送している途中で、データ保存機器１１と無線通信機器１２との間におけるデータ転送速度を変更する場合には、無線通信機器１２と基地局１３との間で確立している無線通信を一旦遮断する。そして、当該データ転送システムでは、データ保存機器１１と無線通信機器１２との間におけるデータ転送速度を変更する。また、当該データ転送システムでは、その後再び無線通信機器１２と基地局１３との間の無線通信を確立し、データの再転送を実行することが行われている。これに対して、本発明では、無線通信機器１２と基地局１３との間で確立している無線通信を遮断しないでデータ保存機器１１と無線通信機器１２との間におけるデータ転送速度の変更を実行する機能を有している。このような機能を有することにより、本発明では、データ転送が再開されるまでの時間を短縮化し、また、電力の消費を低減化することができる。
【００２８】
＜データ保存機器１１が主体となる実施例＞
ここで、上述した本発明に係る機能をデータ保存機器１１が主体となって発揮するための具体的な構成について説明する。データ保存機器１１は、図２に示すように、分割部２１（分割手段）と、転送部２２（転送手段）と、判断部２３（判断手段）と、遮断信号送信部２４（遮断信号送信手段）と、制御信号送信部２５（制御信号送信手段）と、を備える。
【００２９】
分割部２１は、一のデータを所定の単位で分割する。転送部２２は、分割部２１で分割された分割データを順次、所定の規格に準拠した所定の転送速度（例えば、ＵＳＢでは、Ｌｏｗ−Ｓｐｅｅｄ、Ｆｕｌｌ−Ｓｐｅｅｄ、Ｈｉｇｈ−Ｓｐｅｅｄの３つの転送速度が規定されている）により無線通信機器１２に転送する。
【００３０】
判断部２３は、転送速度を変更するか否かを判断する。具体的には、判断部２３では、現在の転送速度（例えば、Ｈｉｇｈ−Ｓｐｅｅｄ）を他の転送速度（例えば、Ｆｕｌｌ−Ｓｐｅｅｄ）に変更するか否かを判断する。
【００３１】
遮断信号送信部２４は、判断部２３により転送速度を変更すると判断されたときには、所定の規格に準拠して無線通信機器１２と基地局１３との間に確立されている無線通信を遮断するための遮断信号（例えば、ＤＴＲ（Ｄａｔａ  Ｔｅｒｍｉｎａｌ  Ｒｅａｄｙ）−ＯＦＦ信号）を送信する。
【００３２】
制御信号送信部２５は、判断部２３により転送速度を変更すると判断されたときに未だ一のデータに係るすべての分割データの転送が完了していない場合には、遮断信号にしたがって無線通信機器１２と基地局１３との間に確立されている無線通信を遮断しないように制御する制御信号（例えば、ＡＴ＆Ｄ信号）を遮断信号が送信される前に送信する。
【００３３】
このように構成されることにより、本発明では、制御信号によって無線通信機器１２と基地局１３との間で確立している無線通信を遮断する遮断信号を無効化するので、データの転送が再開されるまでの時間を短縮化することができ、また、電力の消費を低減化することができる。
【００３４】
また、無線通信機器１２は、図２に示すように、データ保存機器１１から転送される分割データを受信すべきではないと判断した場合、当該旨を示す不受信信号（例えば、ＮＡＫ（Ｎｏｔ  Ａｃｋｎｏｗｌｅｄｇｅ）信号）をデータ保存機器１１に送信する不受信信号送信部３１（不受信信号送信手段）を備える構成が好ましい。このような構成では、データ保存機器１１の判断部２３は、不受信信号を所定時間連続して受信したとき、又は不受信信号を所定回数受信したときに、転送速度を変更するように判断する。なお、分割データを新たに受信すべきでない場合とは、例えば、すでに受信した分割データを何らかの原因（例えば電波状況の悪化）によりサーバに転送できず、無線通信機器１２のメモリがオーバーする場合等があげられる。
【００３５】
このように構成されることにより、本発明では、無線通信機器１２から送信される不受信信号の有無に基づいて転送速度を変更するか否かを判断できる。例えば、転送するべきデータがない場合には高い転送速度（Ｈｉｇｈ−Ｓｐｅｅｄ）から低い転送速度（Ｆｕｌｌ−Ｓｐｅｅｄ）に変更することができ、電力消費を低減することができる。また、本発明では、データ保存機器１１と無線通信機器１２との間でバスリセットが生じても無線通信機器１２と基地局１３との間の通信を遮断しないので、データの転送が再開されるまでの時間を短縮化することができる。
【００３６】
また、無線通信機器１２は、図２に示すように、充電池３２と、充電池３２の電池残量が所定値よりも低下したことを検出したときに、当該旨を示す電池残量低下信号をデータ保存機器１１に送信する電池残量低下信号送信部３３（電池残量低下信号送信手段）を備える。このような構成では、判断部２３は、電池残量低下信号を受信したときに、転送速度を変更するように判断する。
【００３７】
このように構成されることにより、本発明では、無線通信機器１２から送信される電池残量低下信号の有無に基づいて転送速度を変更するか否かを判断できるので、電池残量が少ない場合に、電力消費が低くなる転送速度に変更することができる。また、本発明では、データ保存機器１１と無線通信機器１２との間でバスリセットが生じても無線通信機器１２と基地局１３との間の通信を遮断しないので、データの転送が再開されるまでの時間を短縮化することができる。
【００３８】
また、無線通信機器１２は、図２に示すように、基地局１３との間における無線通信に係る電波強度を監視する監視部３４（監視手段）と、監視部３４による監視結果に基づいて、電波強度が所定値よりも低下したことを検出したときに、当該旨を示す電波強度低下信号をデータ保存機器１１に送信する電波強度低下信号送信部３５（電波強度低下信号送信手段）を備える。このような構成では、判断部２３は、電波強度低下信号を受信したときに、転送速度を変更するように判断する。
【００３９】
ここで、無線通信機器１２と基地局１３との間の電波強度が低下した場合には、高い転送レートでサーバ１５にデータを転送することができなくなる。このような場合に、データ保存機器１１から高い転送速度でデータが供給されると、無線通信機器１２にデータが溜まってしまいメモリがオーバーフローを起こす可能性がある。
【００４０】
本発明では、無線通信機器１２から送信される電波強度低下信号の有無に基づいて転送速度を変更するか否かを判断できるので、無線通信機器１２と基地局１３との間の電波強度が低下した場合には、データ保存機器１１と無線通信機器１２との間の転送速度を低下させることができ、無線通信機器１２がオーバーフローを起こさない利点がある。また、本発明では、データ保存機器１１と無線通信機器１２との間でバスリセットが生じても無線通信機器１２と基地局１３との間の通信を遮断しないので、データの転送が再開されるまでの時間を短縮化することができ、また、電力の消費を低減化することができる。
【００４１】
また、判断部２３は、無線通信機器１２に転送される一のデータの大きさに基づいて、転送速度を変更するように判断する構成であっても良い。例えば、判断部２３は、転送される一のデータが大きいときには、転送速度を向上するように判断し、また、転送される一のデータが小さいときには、転送速度を低下させるように判断する。
【００４２】
したがって、本発明では、例えば、一のデータが小さいときに高い転送速度が維持されないため、電力消費を低減することができる。また、本発明では、データ保存機器１１と無線通信機器１２との間でバスリセットが生じても無線通信機器１２と基地局１３との間の通信を遮断しないので、データの転送が再開されるまでの時間を短縮化することができる。
【００４３】
ここで、転送速度を切り替える手順について図３を用いて説明する。ここで、データ保存機器１１と無線通信機器１２とは、ケーブルＡにより接続され、データの転送速度が第１の転送速度（例えば、Ｈｉｈｇ−Ｓｐｅｅｄ）により行われるものとする（ステップＳ１）。また、データ保存機器１１は、無線通信機器１２に対してサーバ１５への無線通信のための接続要求を行う（ステップＳ２）。無線通信機器１２は、基地局１３を介してネットワーク１４に接続要求を行う（ステップＳ３）。当該接続要求によって、無線通信機器１２とネットワーク１４とが基地局１３を介して接続され、無線通信が確立する（ステップＳ４）。
【００４４】
データ保存機器１１は、一のデータの分割データを順次、第１の転送速度によって無線通信機器１２に転送する（ステップＳ５）。無線通信機器１２は、データ保存機器１１から転送されたデータを、基地局１３を介してネットワーク１４上の所定のサーバ１５に転送する（ステップＳ６）。
【００４５】
ここで、無線通信機器１２は、データ保存機器１１から分割データを受信する準備ができておらず、次のデータが受信できない場合には、データ保存機器１１に対してその旨の信号（例えば、ＮＹＥＴ）を送信する。また、データ保存機器１１は、ＮＹＥＴを受信したときには、データ受信が可能か否かを問い合わせる信号（例えば、ＰＩＮＧ）を無線通信機器１２に送信する。また、無線通信機器１２は、データの受信準備がまだできていない場合には、その旨の信号（例えば、ＮＡＫ）をデータ保存機器１１に送信する（ステップＳ７）。
【００４６】
データ保存機器１１の判断部２３は、ＮＡＫを所定時間連続して受信したとき、又はＮＡＫを所定回数受信したときには、無線通信速度が低下したものと判断する。また、データ保存機器１１は、一のデータに係る分割データが現在までに何バイトまで転送できたのかを記憶し（ステップＳ８）、ＤＴＲ信号を無効にするための制御信号（例えば、ＡＴ＆Ｄ１信号）を無線通信機器１２に送信する（ステップＳ９）。なお、当該制御信号（ＡＴ＆Ｄ１信号）は、無線通信が回線交換方式である場合には、通常のＵＳＢデータとして送信することができ、また、無線通信がパケット方式である場合には、ＳＥＮＤ＿ＥＮＣＡＰＳＵＬＡＴＥＤ＿ＣＯＭＭＡＮＤのデータステージとして送信することができる。
【００４７】
また、データ保存機器１１は、転送速度を変更するためにバスリセットを実行する（ステップＳ１０）。ここで、ステップＳ９において、予め制御信号が送信されているため、当該バスリセットに付随する遮断信号（ＤＴＲ信号）による命令は無効とされ、無線通信機器１２と基地局１３との間において確立している通信は切断されずにそのまま維持される。また、データ保存機器１１と無線通信機器１２との間の転送速度は、バスリセットの実行により第１の転送速度（Ｈｉｇｈ−Ｓｐｅｅｄ）から第２の転送速度（Ｆｕｌｌ−Ｓｐｅｅｄ）に変更される（ステップＳ１１）。
【００４８】
また、データ保存機器１１は、ＤＴＲ信号を有効にするための制御信号（例えば、ＡＴ＆Ｄ２信号）を無線通信機器１２に送信する（ステップＳ１２）。無線通信機器１２では、当該制御信号によって、再びＤＴＲ信号が有効となる。
【００４９】
また、データ保存機器１１は、ステップＳ８により記憶した内容を参照して、残りの分割データを変更後の第２の転送速度によって転送する（ステップＳ１３）。また、無線通信機器１２は、受信した分割データを、基地局１３を介してネットワーク１４上のサーバ１５に転送する（ステップＳ１４）。
【００５０】
このようにして、本発明では、無線通信機器１２と基地局１３との間の無線通信を遮断しないでデータ保存機器１１と無線通信機器１２との間の転送速度を変更するので、変更後のデータの再転送を遅滞なく実行することができる。
【００５１】
＜無線通信機器１２が主体となる実施例＞
つぎに、本発明に係る機能を無線通信機器１２が主体となって発揮するための具体的な構成について説明する。データ保存機器１１は、図４に示すように、分割部４１と、転送部４２と、第１の通知部４３（第１の通知手段）と、遮断信号送信部４４と、を備える。
【００５２】
分割部４１は、一のデータを所定の単位で分割する。転送部４２は、分割部４１で分割された分割データを順次、所定の規格に準拠した転送速度により無線通信機器１２に転送する。第１の通知部４３は、一のデータの大きさを無線通信機器１２に通知する。遮断信号送信部４４は、転送速度を変更するときには、所定の規格に準拠して無線通信機器１２と基地局１３との間に確立されている無線通信を遮断するための遮断信号（例えば、ＤＴＲ−ＯＦＦ信号）を無線通信機器１２に送信する。
【００５３】
また、無線通信機器１２は、図４に示すように、判断部５１と、第２の通知部５２（第２の通知手段）と、設定部５３（設定手段）と、を備える。判断部５１は、転送速度を変更するか否かを判断する。第２の通知部５２は、判断部５１により転送速度を変更するものと判断したときに、転送速度を変更するようにデータ保存機器１１に通知する。
【００５４】
設定部５３は、判断部５１により転送速度を変更すると判断されたときに、第１の通知部４３により通知された一のデータの大きさに基づいて、未だ一のデータに係るすべての分割データの転送が完了していないと判断した場合には、遮断信号にしたがって無線通信機器１２と基地局１３との間に確立されている無線通信を遮断しないように設定する。
【００５５】
このように構成されることにより、本発明では、無線通信機器１２と基地局１３との間の無線通信を遮断しないでデータ保存機器１１と無線通信機器１２との間の転送速度を変更するので、変更後のデータの再転送を従来よりも早く再開することができ、また、電力の消費を低減化することができる。
【００５６】
また、無線通信機器１２は、図４に示すように、データ保存機器１１から転送される分割データを新たに受信すべきではないと判断したときに、当該旨を示す不受信信号（ＮＡＫ（Ｎｏｔ  Ａｃｋｎｏｗｌｅｄｇｅ）信号）をデータ保存機器１１に送信する不受信信号送信部５４（不受信信号送信手段）を備える構成が好ましい。このような構成では、判断部５１は、不受信信号を所定時間連続してデータ保存機器１１に送信したとき、又は不受信信号を所定回数データ保存機器１１に送信したときに、転送速度を変更するように判断する。
【００５７】
このように構成されることにより、本発明では、無線通信機器１２から送信される不受信信号の有無に基づいて転送速度を変更するか否かを判断できるので、例えば、転送するべきデータがない場合には高い転送速度（Ｈｉｇｈ−Ｓｐｅｅｄ）から低い転送速度（Ｆｕｌｌ−Ｓｐｅｅｄ）に変更することができ、電力消費を低減することができる。また、本発明では、データ保存機器１１と無線通信機器１２との間でバスリセットが生じても無線通信機器１２と基地局１３との間の通信を遮断しないので、データの転送が再開されるまでの時間を短縮化することができる。
【００５８】
また、無線通信機器１２は、図４に示すように、充電池５５を備えている。判断部５１は、充電池５５の電池残量が所定値よりも低下したことを検出したときに、転送速度を変更するように判断する。
【００５９】
このように構成されることにより、本発明では、電池残量が少ない場合に、電力消費が低くなる転送速度に変更することができる。また、本発明では、データ保存機器１１と無線通信機器１２との間でバスリセットが生じても無線通信機器１２と基地局１３との間の通信を遮断しないので、データの転送が再開されるまでの時間を短縮化することができる。
【００６０】
また、無線通信機器１２は、図４に示すように、基地局１３との間における無線通信に係る電波強度を監視する監視部５６（監視手段）を備える構成が好ましい。このような構成では、判断部５１は、監視部５６による監視結果に基づいて、電波強度が所定値よりも低下したことを検出したときに、転送速度を変更するように判断する。
【００６１】
本発明では、電波強度に基づいて転送速度を変更するか否かを判断できるので、無線通信機器１２と基地局１３との間の電波強度が低下した場合には、データ保存機器１１と無線通信機器１２との間の転送速度を低下させることができ、無線通信機器１２がオーバーフローを起こさない利点がある。また、本発明では、データ保存機器１１と無線通信機器１２との間でバスリセットが生じても無線通信機器１２と基地局１３との間の通信を遮断しないので、データの転送が再開されるまでの時間を短縮化することができ、また、電力の消費を低減化することができる。
【００６２】
また、判断部５１は、データ保存機器１１から転送すべき一のデータの大きさに基づいて、転送速度を変更するように判断する構成であっても良い。例えば、判断部５１は、データ保存機器１１から転送すべき一のデータが大きいときには、転送速度を向上するように判断し、データ保存機器１１から転送すべき一のデータが小さいときには、転送速度を低下させるように判断する。
【００６３】
したがって、本発明では、例えば、一のデータが小さいときに高い転送速度が維持されないため、電力消費を低減することができる。また、本発明では、データ保存機器１１と無線通信機器１２との間でバスリセットが生じても無線通信機器１２と基地局１３との間の通信を遮断しないので、データの転送が再開されるまでの時間を短縮化することができる。
【００６４】
ここで、転送速度を切り替える手順について図５を用いて説明する。ここで、データ保存機器１１と無線通信機器１２とは、ケーブルＡにより接続され、データの転送速度が第１の転送速度（例えば、Ｈｉｈｇ−Ｓｐｅｅｄ）により行われるものとする（ステップＳ２１）。また、データ保存機器１１は、無線通信機器１２に対してサーバ１５への無線通信のための接続要求を行う（ステップＳ２２）。無線通信機器１２は、基地局１３を介してネットワーク１４に接続要求を行う（ステップＳ２３）。当該接続要求によって、無線通信機器１２とネットワーク１４とが基地局１３を介して接続され、無線通信が確立する（ステップＳ２４）。
【００６５】
データ保存機器１１は、一のデータの分割データを順次、第１の転送速度によって無線通信機器１２に転送する（ステップＳ２５）。無線通信機器１２は、データ保存機器１１から転送されたデータを、基地局１３を介してネットワーク１４上の所定のサーバ１５に転送する（ステップＳ２６）。
【００６６】
ここで、無線通信機器１２は、判断部５１により、監視部５６による監視結果に基づいて、電波強度が所定値よりも低下したこと、すなわち、スループットが所定値よりも低下したと判断した場合、又は充電池５５の電池残量が所定値よりも低下したことを検出した場合等（転送速度を変更するイベントが発生した場合）に、転送速度を変更するように判断する（ステップＳ２７）。
【００６７】
無線通信機器１２の設定部５３は、判断部５１により転送速度を変更すると判断されたときに、後でデータ保存機器１１から送信されてくる遮断信号（ＤＴＲ−ＯＦＦ信号）にしたがって無線通信機器１２と基地局１３との間に確立されている無線通信を遮断しないように設定を行う（ステップＳ２８）。
【００６８】
無線通信機器１２の第２の通知部５２は、転送速度を変更するようにデータ保存機器１１に通知する（ステップＳ２９）。データ保存機器１１は、転送速度の変更が要求されたときには、一のデータに係る分割データが現在までに何バイトまで転送できたのかを記憶し（ステップＳ３０）、転送速度を変更するためにバスリセットを実行する（ステップＳ３１）。ここで、ステップＳ２８において、予め所定の設定が行われているので、当該バスリセットに付随する遮断信号（ＤＴＲ信号）による命令は無効とされ、無線通信機器１２と基地局１３との間において確立している通信は切断されずにそのまま維持される。また、データ保存機器１１と無線通信機器１２との間の転送速度は、バスリセットの実行により第１の転送速度（Ｈｉｇｈ−Ｓｐｅｅｄ）から第２の転送速度（Ｆｕｌｌ−Ｓｐｅｅｄ）に変更される（ステップＳ３２）。
【００６９】
また、無線通信機器１２の設定部５３は、ＤＴＲ信号を有効にするための設定を行う（ステップＳ３３）。このようにして、無線通信機器１２では、再びＤＴＲ信号が有効となる。
【００７０】
また、データ保存機器１１は、ステップＳ３０により記憶した内容を参照して、残りの分割データを変更後の第２の転送速度によって転送する（ステップＳ３４）。また、無線通信機器１２は、受信した分割データを、基地局１３を介してネットワーク１４上のサーバ１５に転送する（ステップＳ３５）。
【００７１】
このようにして、本発明では、無線通信機器１２と基地局１３との間の無線通信を遮断しないでデータ保存機器１１と無線通信機器１２との間の転送速度を変更するので、変更後のデータの再転送を従来よりも早く再開することができる。
【００７２】
また、データ転送システム１は、図４に示す構成において、データ保存機器１１と無線通信機器１２との間におけるデータ転送速度を切り替える契機（スループットの低下した時又は充電池５５の電池残量が所定値よりも低下時）が発生した際に、予め使用者が設定しておいた転送速度（例えば、Ｈｉｇｈ−Ｓｐｅｅｄであるか、又はＦｕｌｌ−Ｓｐｅｅｄ）によりデータ転送を行うように構成されても良い。また、例えば、データ転送システム１では、設定が「Ｈｉｇｈ−Ｓｐｅｅｄ優先モード」の場合には、転送速度を切り替える契機が発生しても転送速度の切り替えは行わず、また、設定が「Ｆｕｌｌ−Ｓｐｅｅｄ優先モード」の場合には、上述の方法により転送速度の切り替えを実行する。
【００７３】
また、ここで、データ転送システム１の動作について図６に示すフローチャートを用いて説明する。データ転送システム１は、転送速度を切り替える契機が発生したか否かを判断し（ステップＳ４１）、転送速度を切り替える契機が発生した場合には（Ｙｅｓ）、設定が「Ｆｕｌｌ−Ｓｐｅｅｄ優先モード」になっているか否かを判断し（ステップＳ４２）、「Ｆｕｌｌ−Ｓｐｅｅｄ優先モード」になっていると判断した場合には（Ｙｅｓ）、上述した方法（ステップＳ２１乃至ステップＳ３２）により、データ保存機器１１と無線通信機器１２との間の転送速度を切り替える処理を実行する（ステップＳ４３）。
【００７４】
また、データ転送システム１により、転送されるデータの大きさに応じて転送速度を切り替える手順について図７を用いて説明する。音楽データのダウンロード等の大容量のデータ転送を行う場合には、Ｆｕｌｌ−ＳｐｅｅｄからＨｉｇｈ−Ｓｐｅｅｄに変更し、決済情報等の小容量のデータ転送を行う場合には、Ｈｉｇｈ−ＳｐｅｅｄからＦｕｌｌ−Ｓｐｅｅｄに変更する。本実施例においては、Ｆｕｌｌ−ＳｐｅｅｄからＨｉｇｈ−Ｓｐｅｅｄに変更し、その後、Ｈｉｇｈ−ＳｐｅｅｄからＦｕｌｌ−Ｓｐｅｅｄに変更する場合の手順について説明する。
【００７５】
ここで、データ保存機器１１と無線通信機器１２とは、ケーブルＡにより接続され、無線通信機器１２は、基地局１３との間で無線通信接続が完了しており、ネットワーク１４を介してサーバ１５に接続されているものとする（ステップＳ５１）。また、データ保存機器１１と無線通信機器１２との間の転送速度は、第２の転送速度（例えば、Ｆｕｌｌ−Ｓｐｅｅｄ）に設定されているものとする（ステップＳ５２）。
【００７６】
データ保存機器１１は、大容量のデータを転送する旨の要求のイベントが発生したとき（ステップＳ５３）、無線通信機器１２に遮断信号（ＤＴＲ−ＯＦＦ信号）を無効とする制御信号（例えば、ＡＴ＆Ｄ１信号）を送信し（ステップＳ５４）、バスリセットを実行する（ステップＳ５５）。
【００７７】
ここで、ステップＳ５４において、予め制御信号が送信されているため、当該バスリセットに付随する遮断信号（ＤＴＲ−ＯＦＦ信号）による命令は無効とされ、無線通信機器１２と基地局１３との間において確立している通信は切断されずにそのまま維持される。また、データ保存機器１１と無線通信機器１２との間の転送速度は、バスリセットの実行によりＦｕｌｌ−ＳｐｅｅｄからＨｉｇｈ−Ｓｐｅｅｄに変更される（ステップＳ５６）。
【００７８】
また、データ保存機器１１は、ＤＴＲ−ＯＦＦ信号を有効にするための制御信号（例えば、ＡＴ＆Ｄ２信号）を無線通信機器１２に送信する（ステップＳ５７）。これにより、無線通信機器１２では、再びＤＴＲ−ＯＦＦ信号が有効となる。
【００７９】
このようにして、データ転送システム１は、データ保存機器１１と無線通信機器１２との間においてＨｉｇｈ−Ｓｐｅｅｄによるデータ転送が実行される（ステップＳ５８）。
【００８０】
また、データ保存機器１１は、大容量のデータを転送が完了した場合（ステップＳ５９）、無線通信機器１２に遮断信号（ＤＴＲ−ＯＦＦ信号）を無効とする制御信号（例えば、ＡＴ＆Ｄ１信号）を送信し（ステップＳ６０）、バスリセットを実行する（ステップＳ６１）。
【００８１】
ここで、ステップＳ６０において、予め制御信号が送信されているため、当該バスリセットに付随する遮断信号（ＤＴＲ−ＯＦＦ信号）による命令は無効とされ、無線通信機器１２と基地局１３との間において確立している通信は切断されずにそのまま維持される。また、データ保存機器１１と無線通信機器１２との間の転送速度は、バスリセットの実行によりＨｉｇｈ−ＳｐｅｅｄからＦｕｌｌ−Ｓｐｅｅｄに変更される（ステップＳ６２）。
【００８２】
また、データ保存機器１１は、ＤＴＲ−ＯＦＦ信号を有効にするための制御信号（例えば、ＡＴ＆Ｄ２信号）を無線通信機器１２に送信する（ステップＳ６３）。これにより、無線通信機器１２では、再びＤＴＲ−ＯＦＦ信号が有効となる。
【００８３】
このようにして、データ転送システム１は、データ保存機器１１と無線通信機器１２との間においてＦｕｌｌ−Ｓｐｅｅｄによるデータ転送が実行される（ステップＳ６４）。
【００８４】
＜無線通信機器１２による実施例＞
つぎに、上述した本発明に係る機能を無線通信機器１２により発揮するための具体的な構成について説明する。無線通信機器１２は、図８に示すように、受信部６１（受信手段）と、判断部６２（判断手段）と、通知部６３（通知手段）と、設定部６４（設定手段）と、を備える。
【００８５】
受信部６１は、データ保存機器１１から転送されてくる一のデータが所定の単位で分割されている分割データを順次、所定の規格に準拠した所定の転送速度により受信する。判断部６２は、転送速度を変更するか否かを判断する。通知部６３は、判断部６２により転送速度を変更するものと判断したときに、転送速度を変更するようにデータ保存機器１１に通知する。
【００８６】
設定部６４は、判断部６２により転送速度を変更すると判断されたときに、一のデータの大きさに基づいて、未だ一のデータに係るすべての分割データの転送が完了していないと判断した場合には、データ保存機器１１から送信されてくる所定の規格に準拠して無線通信機器１２と基地局１３との間に確立されている無線通信を遮断するための遮断信号にしたがって無線通信機器１２と基地局１３との間に確立されている無線通信を遮断しないように設定する。
【００８７】
このようにして、本発明では、無線通信機器１２と基地局１３との間の無線通信を遮断しないでデータ保存機器１１と無線通信機器１２との間の転送速度を変更するので、変更後のデータの再転送を遅滞なく実行することができ、また、電力の消費を低減化することができる。
【００８８】
また、無線通信機器１２は、図８に示すように、データ保存機器１１から転送される分割データを新たに受信すべきでないと判断したときに、当該旨を示す不受信信号（例えば、ＮＡＫ（Ｎｏｔ  Ａｃｋｎｏｗｌｅｄｇｅ）信号）をデータ保存機器１１に送信する不受信信号送信部６５を備える構成が好ましい。このような構成の場合には、判断部６２は、不受信信号を所定時間連続してデータ保存機器１１に送信したとき、又は不受信信号を所定回数データ保存機器１１に送信したときに、転送速度を変更するように判断する。
【００８９】
このように構成されることにより、本発明では、不受信信号の有無に基づいて転送速度を変更するか否かを判断できるので、例えば、転送するべきデータがない場合には高い転送速度（Ｈｉｇｈ−Ｓｐｅｅｄ）から低い転送速度（Ｆｕｌｌ−Ｓｐｅｅｄ）に変更することができ、電力消費を低減することができる。また、本発明では、無線通信機器１２と基地局１３との間の無線通信を遮断しないでデータ保存機器１１と無線通信機器１２との間の転送速度を変更するので、変更後のデータの再転送を遅滞なく実行することができる。
【００９０】
また、無線通信機器１２は、図８に示すように、充電池６６を備えている。判断部６２は、充電池６６の電池残量が所定値よりも低下したことを検出したときに、転送速度を変更するように判断する。
【００９１】
このように構成されることにより、本発明では、電池残量が少ない場合に、電力消費が低くなる転送速度に変更することができる。また、本発明では、無線通信機器１２と基地局１３との間の無線通信を遮断しないでデータ保存機器１１と無線通信機器１２との間の転送速度を変更するので、変更後のデータの再転送を遅滞なく実行することができる。
【００９２】
また、無線通信機器１２は、図８に示すように、基地局１３との間における無線通信に係る電波強度を監視する監視部６７を備える構成が好ましい。このような構成では、判断部６２は、監視部６７による監視結果に基づいて、電波強度が所定値よりも低下したことを検出したときに、転送速度を変更するように判断する。
【００９３】
本発明では、電波強度に基づいて転送速度を変更するか否かを判断できるので、無線通信機器１２と基地局１３との間の電波強度が低下した場合には、データ保存機器１１と無線通信機器１２との間の転送速度を低下させることができ、無線通信機器１２がオーバーフローを起こさない利点がある。また、本発明では、無線通信機器１２と基地局１３との間の無線通信を遮断しないでデータ保存機器１１と無線通信機器１２との間の転送速度を変更するので、変更後のデータの再転送を遅滞なく実行することができ、また、電力の消費を低減化することができる。
【００９４】
また、判断部６２は、無線通信機器１２に転送されるデータの大きさに基づいて、転送速度を変更するように判断する構成であっても良い。例えば、判断部６２は、データ保存機器１１から転送されてくるデータが大きいときには、転送速度を向上するように判断し、また、データ保存機器１１から転送されてくるデータが小さいときには、転送速度を低下させるように判断する。
【００９５】
したがって、本発明では、例えば、データが小さいときに高い転送速度が維持されないため、電力消費を低減することができる。また、本発明では、無線通信機器１２と基地局１３との間の無線通信を遮断しないでデータ保存機器１１と無線通信機器１２との間の転送速度を変更するので、変更後のデータの再転送を遅滞なく実行することができる。
【００９６】
また、本発明によれば、無線通信機器１２と基地局１３との間の無線通信を遮断しないでデータ保存機器１１と無線通信機器１２との間の転送速度を変更するので、無線回線を確保することができ、転送速度を変更後のデータ転送を確実に実行することができ、また、無線通信切断処理の遅延による再接続の失敗を回避することができ、また、無線通信再接続によるネットワーク側の負担を軽減することができる。
【図面の簡単な説明】
【００９７】
【図１】本発明に係るデータ転送システムの構成を示す図である。
【図２】本発明に係るデータ転送システムにおいて、データ保存機器が主体となる場合の構成を示すブロック図である。
【図３】転送速度を切り替える手順についての説明に供する図である。
【図４】本発明に係るデータ転送システムにおいて、無線通信機器が主体となる場合の構成を示すブロック図である。
【図５】転送速度を切り替える手順についての説明に供する図である。
【図６】データ転送システムの動作についての説明に供するフローチャートである。
【図７】本発明に係るデータ転送システムにより転送されるデータの大きさによって転送速度を切り替える手順についての説明に供する図である。
【図８】本発明に係るデータ転送システムの無線通信機器の構成を示すブロック図である。
【符号の説明】
【００９８】
１  データ転送システム
１１  データ保存機器
１２  無線通信機器
１３  基地局
１４  ネットワーク
１５  サーバ
２１，４１  分割部（分割手段）
２２，４２  転送部（転送手段）
２３，５１，６２  判断部（判断手段）
２４，４４  遮断信号送信部（遮断信号送信手段）
２５  制御信号送信部（制御信号送信手段）
３１，５４，６５  不受信信号送信部（不受信信号送信手段）
３２，５５，６６  充電池
３３  電池残量低下信号送信部（電池残量低下信号送信手段）
３４，５６，６７  監視部（監視手段）
３５  電波強度低下信号送信部（電波強度低下信号送信手段）
４３  第１の通知部（第１の通知手段）
５２  第２の通知部（第２の通知手段）
５３，６４  設定部（設定手段）
６１  受信部（受信手段）
６３  通知部（通知手段）
【図１】
0005172447.tif 000002
【図２】
0005172447.tif 000003
【図３】
0005172447.tif 000004
【図４】
0005172447.tif 000005
【図５】
0005172447.tif 000006
【図６】
0005172447.tif 000007
【図７】
0005172447.tif 000008
【図８】
0005172447.tif 000009